(57)【特許請求の範囲】
【請求項１】
スカム・油が混入・浮遊する液層内に配設されるフロートと、該フロートの浮力により前記液層の液面付近に保持されるゲート部から該液面に浮上するスカム・油を含む液面浮遊物を回収する回収部と、該回収部に接続される回収管と、を有して構成される液面浮遊物回収装置において、
前記ゲート部が、液面の上下動に追随して上下に遊動可能な状態で前記回収部に設けられており、
前記フロートが、
前記ゲート部の周囲近傍に複数個が配設されると共に、前記ゲート部を浮上支持することにより該ゲート部を液面付近に保持するゲートフロートと、
該複数個のゲートフロートの更に外側に複数個が配設されると共に、前記回収部及び該回収部に接続する前記回収管を浮上支持するメインフロートと、
から構成されており、
前記複数個のゲートフロートが、前記ゲート部の周囲近傍を回転することによって該ゲートフロートに接近乃至は接触する位置に浮遊する液面浮遊物を前記ゲート部に掻き寄せる構成であり、
前記複数個のメインフロートの各々が、液面に接触する外周部分に一つ又は複数の羽根状突起を有すると共に、少なくとも羽根状突起が設けられた部分が液面に沿って回動乃至は回転することによって該メインフロートに接近乃至は接触する位置に浮遊する液面浮遊物を粉砕・分離・分割する構成であること、
更に、前記ゲートフロートを回転させるモータの如き駆動装置を有しており、該駆動装置の荷重が、前記メインフロートによって支持される構成であること、
を特徴とする液面浮遊物回収装置。
【請求項２】
前記複数個のメインフロートの各々が、液面より下に位置することにより液面下での浮力を主として受け持つ下部メインフロートと、少なくとも一部が液面より上に突出することにより液面部分での浮力を主として受け持つ上部メインフロートと、の上下二段構成であり、
前記上部メインフロートの外周部に前記羽根状突起が設けられた構成であること、
を特徴とする請求項１に記載の液面浮遊物回収装置。
【請求項３】
前記ゲートフロートが回転する際に、該ゲートフロートの少なくとも一部が前記メインフロートに接触して該メインフロートを回動乃至は回転させる構成であることを特徴とする請求項１又は２に記載の液面浮遊物回収装置。
【請求項４】
前記回収管には、該回収管を通して液層外に導出されるスカム・油を含む液面浮遊物について、スカム・油を水から分離回収する分離装置が接続されていることを特徴とする請求項１〜３のいずれかに記載の液面浮遊物回収装置。
【請求項５】
前記ゲート部から回収管を介して回収したスカム・油を含む液面浮遊物が、前記回収部に配設されているポンプによって前記分離装置へ送出される構成であることを特徴とする請求項４に記載の液面浮遊物回収装置。
【発明の詳細な説明】
【技術分野】
【０００１】
本発明は液面浮遊物回収装置に関し、詳しくは塗装工場・食品工場・鉄鋼所・火力発電所・水産加工場・機械類工場等における種々処理槽の液面に浮上するスカム・油等の浮遊物を回収する装置に関する。
【背景技術】
【０００２】
液面浮遊物の回収装置としては、回収装置本体を浮上支持するメインフロートに加えて、液面浮遊物の流入口であるゲート部を液面付近に保持するためのゲートフロートを設けたダブルフロート式の構成によって、液面に浮上する浮遊物を流入させたり吸引する等して効率的に回収するように構成された技術が知られている。
【０００３】
液面に浮上するスカム・油等の浮遊物を効率的に且つ確実に回収するためには、回収部の流入口部分であるゲート部が液面に常に追従した状態となることが望ましい。
【０００４】
しかし、液面浮遊物が比較的小径のものである場合にはゲート部に円滑に流入するものの、直径が数ｍｍ程度以上のものである場合にはゲート部の縁部に引っ掛かってしまい回収できない場合があるため、ゲート部の位置を液面より下げると液面浮遊物の回収量は増大するが、同時に流入水量も増加してしまうため回収したスカム・油と水との分離を行う分離装置を大型化する必要があるという問題点が生じる。
【０００５】
そこで、ゲート部を液面から必要以上に下げることなく該ゲート部に多くの液面浮遊物が流入するように、回転羽根状の掻き寄せ手段をゲート部の周囲や近傍に配設することにより該ゲート部に液面浮遊物が効率的に流入するように掻き寄せる構成を有する技術が提案されている（例えば、特許文献１参照）。
【先行技術文献】
【特許文献】
【０００６】
【特許文献１】特開２０１２−２３９９５１
【発明の概要】
【発明が解決しようとする課題】
【０００７】
特許文献１に記載の技術は、液面下に位置するゲートフロートの上部にゲート部を設け、更にゲート部の上方に配設された駆動モータを駆動源とする複数本の棒状の掻き寄せ羽根がゲート部の周囲を回転することにより、液面浮遊物をゲート部に掻き寄せて回収の効率化を図る構成となっている。
【０００８】
しかし、特許文献１の技術では、低粘度の浮遊油や不純物の含有量が少ない浮遊油等の場合には問題なく回収が可能であるが、浮上スカム・高粘度の浮遊油・不純物の含有量の多い廃油・廃水等のように群生化して塊状となり易い液面浮遊物の回収では、掻き寄せ性能が低く、塊状となった液面浮遊物がゲート部の縁部に引掛かった状態になり易く、回収性能の点で劣るという問題点を有している。
【０００９】
更に、群生化して塊状となり易い液面浮遊物は、回収に際してゲート部に向かって浮遊移動する過程において、ゲート部の外側に配設された複数個のメインフロートに接近乃至は接触する位置まで浮遊してきた際に、例えば図４に示すように各メインフロート間に跨った状態でブリッジ状に群生化し易く、ブリッジ状に群生化した液面浮遊物はゲート部にまで移動することなく滞留したまま増殖していくため、回収不能の状態になってしまうという問題点を有している。
【００１０】
そこで本発明の課題は、群生化して塊状となり易いスカム・油等の液面浮遊物であっても確実且つ効率的に回収することが可能な液面浮遊物回収装置を提供することにある。
【課題を解決するための手段】
【００１１】
上記課題を解決する本発明は下記構成を有する。
【００１２】
１．スカム・油が混入・浮遊する液層内に配設されるフロートと、該フロートの浮力により前記液層の液面付近に保持されるゲート部から該液面に浮上するスカム・油を含む液面浮遊物を回収する回収部と、該回収部に接続される回収管と、を有して構成される液面浮遊物回収装置において、
前記ゲート部が、液面の上下動に追随して上下に遊動可能な状態で前記回収部に設けられており、
前記フロートが、
前記ゲート部の周囲近傍に複数個が配設されると共に、前記ゲート部を浮上支持することにより該ゲート部を液面付近に保持するゲートフロートと、
該複数個のゲートフロートの更に外側に複数個が配設されると共に、前記回収部及び該回収部に接続する前記回収管を浮上支持するメインフロートと、
から構成されており、
前記複数個のゲートフロートが、前記ゲート部の周囲近傍を回転することによって該ゲートフロートに接近乃至は接触する位置に浮遊する液面浮遊物を前記ゲート部に掻き寄せる構成であり、
前記複数個のメインフロートの各々が、液面に接触する外周部分に一つ又は複数の羽根状突起を有すると共に、少なくとも羽根状突起が設けられた部分が液面に沿って回動乃至は回転することによって該メインフロートに接近乃至は接触する位置に浮遊する液面浮遊物を粉砕・分離・分割する構成であること、
更に、前記ゲートフロートを回転させるモータの如き駆動装置を有しており、該駆動装置の荷重が、前記メインフロートによって支持される構成であること、
を特徴とする液面浮遊物回収装置。
【００１３】
２．前記複数個のメインフロートの各々が、液面より下に位置することにより液面下での浮力を主として受け持つ下部メインフロートと、少なくとも一部が液面より上に突出することにより液面部分での浮力を主として受け持つ上部メインフロートと、の上下二段構成であり、
前記上部メインフロートの外周部に前記羽根状突起が設けられた構成であること、
を特徴とする上記１に記載の液面浮遊物回収装置。
【００１５】
３．前記ゲートフロートが回転する際に、該ゲートフロートの少なくとも一部が前記メインフロートに接触して該メインフロートを回動乃至は回転させる構成であることを特徴とする上記１又は２に記載の液面浮遊物回収装置。
【００１６】
４．前記回収管には、該回収管を通して液層外に導出されるスカム・油を含む液面浮遊物について、スカム・油を水から分離回収する分離装置が接続されていることを特徴とする上記１〜３のいずれかに記載の液面浮遊物回収装置。
【００１７】
５．前記ゲート部から回収管を介して回収したスカム・油を含む液面浮遊物が、前記回収部に配設されているポンプによって前記分離装置へ送出される構成であることを特徴とする上記４に記載の液面浮遊物回収装置。
【発明の効果】
【００１８】
請求項１に示す発明によれば、群生化して塊状となり易いスカム・油等の液面浮遊物であっても確実且つ効率的に回収することが可能な液面浮遊物回収装置を提供することができる。
【００１９】
特に、ゲート部の周囲近傍に配設される複数個のゲートフロートが掻き寄せ機能を有する構成により、単なる棒状の掻き寄せ羽根に比べ、浮き体として容積を有する構成体の回転による掻き寄せのため液面浮遊物のゲート部への掻き寄せ効果が高い。また、ゲート部を液面付近に保持するために浮上支持するゲートフロートは、ゲート部と共に液面に対する位置が略一定に保たれることになるので、液面及び液面浮遊物に対する掻き寄せ効果・効率が略一定に保たれるため安定した掻き寄せ効果を得ることができる。
【００２０】
更に、ゲート部及びゲートフロートの外側に配設されたメインフロートの部分において、羽根状突起が設けられたメインフロートが液面に沿って回動乃至は回転する構成により、群生化して塊状となり易い液面浮遊物であってもメインフロートに接近乃至は接触する位置まで浮遊してきた際に前記羽根状突起によって粉砕・分離・分割されるので液面浮遊物の群生化及び滞留を効果的に防ぐことができる。従って、群生化して塊状となり易い液面浮遊物であってもゲート部から確実且つ効率的に回収することが可能となる。
このメインフロート部分における液面浮遊物の粉砕・分離・分割と、前記したゲートフロート部分における液面浮遊物の掻き寄せとの相乗効果によって、群生化して塊状となり易いスカム・油等の液面浮遊物であってもメインフロート間でのブリッジ化及び群生化を確実に抑制することができるので、液面浮遊物を確実且つ効率的に回収することが可能である。
更に、ゲートフロートを回転させる駆動装置の荷重はゲートフロートではなくメインフロートが受け持つ構成により、ゲートフロートはゲート部を液面付近に保持することが容易となる。
【００２１】
請求項２に示す発明によれば、上下二段構成のメインフロートによって、液面に対する浮上高さ調整が容易である。特に、上部メインフロートに設けられた羽根状突起が回動乃至は回転する際に該羽根状突起を安定した状態で液面に接触させることができる。また、液面より上に突出する上部メインフロートにより、ゲート部の開口上面位置を所望の位置に安定した状態で設定することができる。
【００２３】
請求項３に示す発明によれば、メインフロートを回動乃至は回転させるための専用の駆動装置が不要となる。
【００２４】
請求項４に示す発明によれば、回収したスカム・油を含む液面浮遊物を分離装置に速やかに送出することができる。
【００２５】
請求項５に示す発明によれば、メインフロートにより浮力支持される回収部にポンプを配設する構成により、ゲート部に極めて近い位置でポンプ動作させることができるので効率的な回収が可能となる。従って、液層外にポンプを配設する構成に比してポンプを小型化・簡易化することができる。
【図面の簡単な説明】
【００２６】
【図１】本発明に係る液面浮遊物回収装置の一部破断概略斜視図
【図２】図１の液面浮遊物回収装置の主要部であるゲート部・ゲートフロート・メインフロート・羽根状突起の作用構成を示す一部破断概略平面図
【図３】図１の液面浮遊物回収装置の主要部である回収部及びゲート部・ゲートフロート及び駆動装置の作用構成並びに液面位置を示す要部概略側面段面図
【図４】従来の液面浮遊物回収装置の問題点（ブリッジ状に群生化した液面浮遊物の状態）を説明する概略平面図
【発明を実施するための形態】
【００２７】
次に、添付の図面に従って本発明を詳細に説明する。
【００２８】
本発明に係る液面浮遊物回収装置（以下、単に回収装置と言うこともある。）は、塗装工場・工程の塗装廃水の浮上スカム、食品工場等における液層内の浮上スカム・油（例えば、バター・マーガリン・食用油脂・チーズ等）、原油等の流出油、下水処理場のスカム、マシニングセンターのクーラント油、メッキの脱脂工程における浮上油、修理・メンテナンス工場等におけるグリス、鉄鋼所・火力発電所・水産加工場・機械類工場等における種々処理槽の液面に浮上するスカム・油等等の液面浮遊物を回収する装置であり、更に必要に応じ、回収したスカム・油を水から分離する装置を含んでもよい装置である。
具体的構成としては、例えば、図１〜図３に示す実施例では、
スカム・油が混入・浮遊する液層内に配設されるフロート（３・４）と、該フロート（３・４）の浮力により前記液層の液面付近に保持されるゲート部２１から該液面に浮上するスカム・油を含む液面浮遊物を回収する回収部２と、該回収部２に接続される回収管５と、を有して構成され、
液層外に配置される分離装置（図示は省略）によって前記ゲート部２１から回収管５を介して回収したスカム・油を水から分離回収する際に用いられる液面浮遊物回収装置１において、
前記ゲート部２１が、液面の上下動に追随して上下に遊動可能な状態で回収部２に設けられており、
前記フロート（３・４）が、
前記ゲート部２１の周囲近傍に複数個（本実施例では３個）が配設されると共に、前記ゲート部２１を浮上支持することにより該ゲート部２１を液面付近に保持するゲートフロート３と、
該複数個のゲートフロート３の更に外側に複数個（本実施例では３個）が配設されると共に、前記回収部２及び該回収部２に接続する前記回収管５等の回収装置１全体を浮上支持するメインフロート４と、
から構成された所謂ダブルフロート構成であり、
前記複数個のゲートフロート３が、前記ゲート部２１の周囲近傍を回転することによって該ゲートフロート３に接近乃至は接触する位置に浮遊する液面浮遊物を前記ゲート部２１に掻き寄せる構成であり、
前記複数個のメインフロート４の各々が、液面に接触する外周部分に一つ又は複数の羽根状突起４１を有すると共に、少なくとも羽根状突起４１が設けられた部分が液面に沿って回動乃至は回転することによって該メインフロート４に接近乃至は接触する位置に浮遊する液面浮遊物を粉砕・分離・分割する構成であること、
を主構成とするものである。
【００２９】
次に、各構成部材について実施例に基づき更に説明する。
【００３０】
回収部２は、図３に示すように、液面下において回収管５を接続することによりゲート部２１から回収した液面浮遊物と該液面浮遊物と共に吸引した水等の液体とを液層外に配置された分離装置に送出する構成であり、液面浮遊物及び液体を吸引回収して送出するポンプＰが該回収部２に配設されていることが好ましい。ポンプＰは、本実施例では回収部２の下部に配設した水中ポンプ構成となっている。尚、ポンプＰは回収部２ではなく回収管５の始端部分・途中部分・終端部分のいずれかに配設された構成とすることもできるし、液層外の分離装置に自吸式等のポンプＰを内蔵又は併設した構成とすることもできる。尚また、回収管５は回収部２に対してフリージョイント機構を介して角度可変に接続されることが好ましい。
【００３１】
また、回収部２に配設されるゲート部２１は、回収部２に対して上下方向に遊動可能に接続する構成となっており、該ゲート部２１の外周部において浮上支持部２２・３１を介してゲートフロート３によって浮上支持されている。
【００３２】
尚、ゲート部２１は、回収する液面浮遊物の種類によっては、その開口上面に放射状フィン状の導入フィン部を設けた構成とすることもできる。かかる構成の場合、ゲート部２１から回収部２内へ回収される液面浮遊物及び液体の流れが該導入フィン部の形状に沿った渦巻き状の回転流となるので、回転流入する液体の中心に排気孔が形成されることによって、この回転流入部分の液による閉塞を防ぐと共にポンプＰへの空気の侵入を防ぐことができるため、液体流入時の脈動を防ぐことになり、回収する液面浮遊物の種類に応じて回収効率を向上させることができる。
【００３３】
ゲート部２１側の浮上支持部２２と、ゲートフロート３側の浮上支持部３１とは、図３に示すように、凹凸構成によって、上下方向に対しては凹部と凸部との係合によって接続状態を維持した状態で液面の上下変化に追随するゲートフロート３と共にゲート部２１を液面の上下変化に対応させる。また、同じく凹凸構成によって、凹部と凸部とは係合したまま水平方向に対しては遊動状態とすることにより、ゲート部２１に対してその周囲をゲートフロート３が回転可能となっている。尚、ゲート部２１は回転可能なゲートフロート３と供回りしないように回転方向に対しては固定された構成となっており、かかる構成によって、ゲート部２１から回収される液面浮遊物のゲートフロート３との供回りを防止する。尚、浮上支持部２２に対するゲート部２１の固定は、スプリング部材やねじ部材或いはその他の固定手段によるゲート部高さ保持部材１２（本実施例ではスプリング部材を採用（図３参照））を介して液面付近の適切な高さに保持されるように設定することができる。
【００３４】
ゲートフロート３は、上記したように回収部２のゲート部２１を液面付近に保持するように浮上支持するものであり、液面から液面下に保持されるゲート部２１の開口上面までの距離は回収する液面浮遊物の種類や粘度等の諸条件によって変わるが、例えば、塗装工場の塗装廃水の浮上スカムや食品工場の浮上スカムのように液面上だけでなく液面下に厚みの半分以上が沈んだ状態で浮遊する液面浮遊物の場合、概ね５〜３０ｍｍ程度、好ましくは概ね１０〜２０ｍｍ程度、より好ましくは概ね１５ｍｍ程度である。尚、厚みのある浮上スカムのように、液面からゲート部２１の開口上面までの距離より厚さのある液面浮遊物の回収の場合、ゲートフロート３の一回の掻き寄せで全量が回収できなかったとしても、複数回の連続的な掻き寄せによって全量の回収が可能である。
【００３５】
ゲートフロート３は、この種の液面浮遊物回収装置のフロート体として公知公用のフロート体の構成（材質・浮力構成・形状等）を特別の制限なく採用することができ、例えば、発泡樹脂や中空樹脂成形体等（本実施例では中空樹脂成形体（図１参照））から形成されることが好ましい。また、形状についても公知公用のフロート形状を採ることもできるが、パドル（櫂）状・屈曲状・湾曲状等のように掬い取るように掻き寄せることができる形状としてもよく、本実施例では、上面視した際に円弧状を描く形状とすることにより、液面浮遊物を中心に位置するゲート部２１方向へと掻き寄せ易い構成を採用している。
【００３６】
ゲートフロート３をゲート部２１の周囲近傍を回転させる構成としては、回収部２の上方であって装置本体支持構成部１１（特に、上方側に位置する１１Ａの部分）を介してメインフロート４に荷重支持されるモータの如き駆動装置Ｍによって支持アーム部３２を介して回転駆動させる構成を挙げることができる。
【００３７】
尚、本実施例では、駆動装置Ｍと支持アーム部３２との間に、積層状態で接続する回転接続部３３・３４を介在させた構成としている。積層する回転接続部３３・３４の各々は上面視した際に円形を成す円盤状の板材構成であり、上側の回転接続部３３は駆動装置Ｍに接続されることにより回転し、下側の回転接続部３４は前記回転接続部３３の回転によって同期回転することにより、支持アーム部３２を介してゲートフロート３を回転させる構成である。
【００３８】
上側の回転接続部３３と下側の回転接続部３４との接続は、各々に１個ずつ乃至は複数個ずつの磁石体を配設し、この磁石体同士の磁力による吸引接続によって同期回転する、所謂マグネットカップリング構成とすることが好ましい。磁石体の磁力による吸引接続によって同期回転する構成によれば、例えば、スカム・油以外の異物（例えば、工場等で使用される手袋類や浮力を有する種々道具類等）や固形物等の浮遊物がガイドフロート３に引っ掛かる等して、該ガイドフロート３の回転が阻害されて停止した場合等に、吸引接続が解除されることによって駆動装置Ｍのモータの焼付きや破損、或いは支持アーム部３２等の他の構成部材の損傷を抑制乃至は防止することができる。即ち、ガイドフロート３を停止するような負荷が前記した磁石体の磁力を上回った場合には、回転接続部３３と回転接続部３４との吸引接続が同期回転方向において解除され、上側の回転接続部３３が空転して駆動装置Ｍ等の損傷を抑制乃至は防止する構成となっている。そして、前記した負荷が解消される等によって当該負荷が磁石体による磁力を下回った時点で、再び下側の回転接続部３４が上側の回転接続部３３に磁力によって吸引接続して同期回転を再開することになる。
【００３９】
メインフロート４の各々は、液面より下に位置することにより液面下での浮力を主として受け持つ下部メインフロート４Ａと、少なくとも一部が液面より上に突出することにより液面での浮力を主として受け持つ上部メインフロート４Ｂと、の上下二段構成であり、前記上部メインフロート４Ｂの外周部に前記羽根状突起４１が設けられた構成となっている。
【００４０】
メインフロート４を上下二段構成とすることによって、液面に対する浮上高さ調整が容易である。特に、上部メインフロート４Ｂの羽根状突起４１が回動乃至は回転する際に該羽根状突起４１を安定した状態で液面に接触させることができるので、このメインフロート４部分に浮遊してきた液面浮遊物を確実且つ効率的に粉砕・分離・分割することができる。従って、群生化して塊状となり易いスカム・油等の液面浮遊物であってもメインフロート４・４間でのブリッジ化及び群生化を確実に抑制することができるので、液面浮遊物を確実且つ効率的に回収することが可能である。特にまた、液面より上に突出する上部メインフロート４Ｂにより、ゲート部２１の開口上面位置を所望の位置に安定した状態で設定することができる。
【００４１】
メインフロート４は、この種の液面浮遊物回収装置のフロート体として公知公用のフロート体の構成（材質・浮力構成等）を特別の制限なく採ることができ、例えば、発泡樹脂や中空樹脂成形体等（本実施例では中空樹脂成形体（図１参照））から形成されることが好ましい。また、形状は、下部メインフロート４Ａについては公知公用のフロート形状を採ることができ、上部メインフロート４Ｂについては効率的な回動乃至は回転が可能な形状であることが好ましく、中心部分は円柱形状であることが特に好ましい。更に、下部メインフロート４Ａは、浮上支持する構成部材の重量、特にポンプＰの重量に応じて形状や大きさによって浮力を加減調整することが好ましく、前記ポンプＰを回収部２ではなく液層外に配設した構成を採った場合にはメインフロート４の浮力の負担が大幅に減るので、下部メインフロート４Ａは浮力の小さな小型のものとしたり、或いは下部メインフロート４Ａを取り外したりしてもよいし、省略してもよい。
【００４２】
下部メインフロート４Ａ及び上部メインフロート４Ｂは共に回収装置１の装置本体支持構成部１１である１１Ａと１１Ｂとの間に回動乃至は回転可能に取り付けられた構成となっている。尚、下部メインフロート４Ａの下方には装置本体支持台座部１３が取り付けられており、液層内の液体量が回収装置１による回収可能量の下限値を下回った際、即ち、ゲート部２１より液面位置が下方となった際、或いは回収装置１を液層外へ搬出した際等に該回収装置１を液層底や床面等に自立させることができる。尚、本実施例では装置本体支持台座部１３の強度を確保するために台座部フレームを付加している。
【００４３】
上部メインフロート４Ｂに設けられる羽根状突起４１としては、放射状に配設した複数枚の単なる板状体であってもよいが、好ましくはパドル（櫂）状・屈曲状・湾曲状等のように掬い取るように掻き寄せることができる形状とすることであり、本実施例では、上面視した際に円弧状を描く形状とすることにより群生化する液面浮遊物を粉砕・分離・分断すると共に掻き寄せ易い構成を採っている。
【００４４】
メインフロート４の回動乃至は回転は、複数個のメインフロート４の各々に駆動源となるモータの如き駆動装置を設けることにより行う構成や、複数個のメインフロート４の少なくとも一つに駆動源となるモータの如き駆動装置を設けると共に、チェーンドライブ機構やベルトドライブ機構等の動力伝達機構を介して他のメインフロート４を回動乃至は回転させる構成等とすることもできる。好ましくは、ゲートフロート３が回転する際に、該ゲートフロート３の少なくとも一部がメインフロート４に接触して該メインフロート４を回動乃至は回転させる構成である。この場合、ゲートフロート３が接触する部分は、上部メインフロート４Ｂの外周部に設けられた羽根状突起４１であることが好ましい。かかる構成によれば、用いられる駆動源としてもモータの如き駆動装置Ｍをゲートフロート３用の一つに集約することができる。更に、ある程度の重量物である駆動装置Ｍを回収装置１の中央部に配設することにより浮上時の重量バランスの適切化が容易となる。
【００４５】
以上の構成を有する本発明の回収装置１によれば、液面上に浮上した油の回収は勿論のこと、液面上から液面下にまで沈んだ状態で浮遊するスカムであっても確実且つ効率的に回収することができる。
【００４６】
特に、ゲート部２１の周囲近傍を回転する複数個のゲートフロート３によって液面浮遊物をゲート部２１に掻き寄せる構成が、ゲート部２１を液面付近に保持すると共にゲートフロート３自体も液面に対する位置が略一定に保たれるため、液面及び液面浮遊物に対する掻き寄せ効果・効率が略一定に保たれるので安定した掻き寄せ効果を得ることができる。
【００４７】
また、羽根状突起４１が外周に設けられたメインフロート４（４Ｂ）の回動乃至は回転により、群生化して塊状となり易い液面浮遊物であっても粉砕・分離・分割するため、群生化及び滞留を効果的に防ぐことができるので、複数個のメインフロート４・４間でのブリッジ化及び群生化を確実に抑制して確実且つ効率的に回収することが可能となる。
【００４８】
更に、本発明の回収装置１によれば、上記したメインフロート４（４Ｂ）の羽根状突起４１による液面浮遊物の粉砕・分離・分断と、ゲートフロート３による掻き寄せと、の相乗効果によって、液面浮遊物の回収効率が従来の回収装置に比して向上するだけでなく、従来の回収装置では回収困難乃至は不可能であってスカムの回収が可能となる。
【００４９】
以上の構成によって回収された液面浮遊物は、前述したように回収管５を介して分離装置に送られ、スカム・油は水から分離されることになる。尚、分離装置としては、この種の液面浮遊物の回収装置やその他の油水分離装置に用いられる公知公用の分離装置構成を特別の制限なく用いることができる。
【００５０】
尚、液面浮遊物及び液体を吸引回収して送出するポンプＰについては、前述したように配設箇所を問わないが、分離装置を近くに配設する場合、回収部２の下部に配設した水中ポンプとすることが好ましい。
【符号の説明】
【００５１】
１  液面浮遊物回収装置
１１（１１Ａ・１１Ｂ）  装置本体支持構成部
１２  ゲート部高さ保持部材
１３  装置本体支持台座部
１４  台座部フレーム
２  回収部
２１  ゲート部
２２  浮上支持部
２３  導入フィン部
３  ゲートフロート
３１  浮上支持部
３２  支持アーム部
３３・３４  回転接続部
４  メインフロート
４Ａ  下部メインフロート
４Ｂ  上部メインフロート
４１  羽根状突起
５  回収管
Ｍ  駆動装置
Ｐ  ポンプ
【要約】      （修正有）【課題】群生化して塊状となり易いスカム・油等の液面浮遊物であっても確実且つ効率的に回収することが可能な液面浮遊物回収装置を提供する。【解決手段】液面浮遊物を回収するゲート部２１が液面の上下動に追随して上下に遊動可能な状態で回収部に設けられており、フロート４がゲート部の周囲近傍に配設されると共にゲート部を液面付近に浮上保持する複数個のゲートフロート３とゲートフロートの更に外側に配設され、回収部を浮上支持する複数個のメインフロート４とから構成され、ゲートフロートが、ゲート部の周囲近傍を回転することによって液面浮遊物をゲート部に掻き寄せる構成であり、メインフロートが、外周部分に設けられた羽根状突起４１が設けられた部分が液面に沿って回動乃至は回転することによって群生化する液面浮遊物を粉砕・分離・分割する構成である。【選択図】図１【図１】
0005575311.tif 000002
【図２】
0005575311.tif 000003
【図３】
0005575311.tif 000004
【図４】
0005575311.tif 000005